(57)【要約】      （修正有）【課題】タオルペーパーを使い勝手よく取出せ、しかも安価な収容ボックスを提供する。【解決手段】薄ボードを立方体状に組立てたボックス１を備えており、ボックス１の内部はタオルペーパーパック品の収納空間であり、ボックス１の上面には、十字状に開口した取出し口が形成されており、ボックス１の一端には、端面を開閉する蓋部材が設けられている。ボックス１の内部には、収納されたタオルペーパーパック品を取出し口側へ押し上げる押上げ部材２が挿入されている。ボックス１は、1枚の薄ボードを六面体に折り畳んで形成したものである。押上げ部材２は、１枚の長方形の薄ボードを、長手方向に二分して足部と台部に分け、かつ台部と足部との間に連結された連結片を切り抜いて形成したものである。【選択図】図１
0003115896.tif 000002
【実用新案登録請求の範囲】
【請求項１】
薄ボードを立方体状に組立てたボックスを備えており、
該ボックスの内部はタオルペーパーパック品の収納空間であり、
該ボックスの上面には、タオルペーパーを１枚づつ取り出す取出し口が形成されており、
前記ボックスの一端には、端面を開閉する蓋部材が設けられている
ことを特徴とするタオルペーパーボックス。
【請求項２】
前記ボックスの内部に、収納されたタオルペーパーパック品を前記取出し口側へ押し上げる押上げ部材が挿入されている
ことを特徴とする請求項１記載のタオルペーパーボックス。
【請求項３】
前記取出し口は、ボックスの上面において、長手方向と短手方向に延びた十字状の開口である
ことを特徴とする請求項１記載のタオルペーパーボックス。
【請求項４】
前記ボックスは、１枚の薄ボードを六面体に折り畳んで形成した
ものである請求項１記載のタオルペーパーボックス。
【請求項５】
前記押上げ部材は、１枚の長方形の薄ボードを、長手方向に二分して足部と台部に分け、かつ前記台部と足部との間に連結された湾曲部を切り抜いて形成した
ものである請求項１記載のタオルペーパーボックス。
【考案の詳細な説明】
【技術分野】
【０００１】
本考案は、タオルペーパーを収納し、１枚づつ取り出すために用いるタオルペーパーボックスに関する。
タオルペーパーは、本来は手洗いで濡れた手を拭くのに用いられるペーパーである。ティッシュペーパーよりは縦横寸法が大形で、エンボス加工等で多少嵩高にした柔らかい紙が用いられている。このタオルペーパーは、手洗い室の壁などに取付けられた壁掛け式の専用のホルダーに入れて、ホルダーの下から１枚づつ取り出して使用される（特許文献１〜５）。
【背景技術】
【０００２】
ところで、上記のようなタオルペーパーはティッシュペーパーよりは大形で嵩高いことから、多少ラフな使い方をするのに非常に便利であり、工場内や野外での手拭きや物洗いの用途が広がっている。
しかるに、工場内に壁掛け式の手洗い用ホルダーを取付けることは可能であるが、その場合でも人がホルダーの設置場所まで近寄らないと使えないので不便である。また、野外ではホルダーそのものを置く場所もない。
【０００３】
一方、壁掛け式ホルダーには、補充用のタオルペーパーのパック品が用意されている。
このパック品は薄いフィルム製のパック袋にタオルペーパーを100枚から200枚程度まとめて入れたもので、１枚１枚のペーパーは互いにジグザグ折りされた状態である。このパック袋は薄く非常に柔軟であるが、それはホルダーに入れるまでの、仮包装であるから、ゴミ混入防止やバラケ防止の役割を果たせばよいからである。
しかし、このパック袋にも表面にミシン目を入れており、そのミシン目を破れば、内部のタオルペーパーを全部取り出して、ホルダーに入れることができるようになっている。
【０００４】
そこで従来では、工場内や野外で、パック品のまま、すなわちパック袋に入ったまま使い、ミシン目を破った開口からタオルペーパーを１枚づつ取り出していた。
しかし、このパック袋は既述のごとく、柔らかく腰がないので、内部に沢山タオルペーパーが詰まっている状態では、多少の重量があって、タオルペーパーの１枚づつの取り出しが可能であるが、内部のペーパー枚数が減ってくると、重量が軽くなって取り出し中の１枚にパック袋全体がつられて動いたりして、１枚づつの取り出しが不能となる。また、パック袋のフィルムがだぶつき始めると、更に取り出しにくくなり、パック袋がシワシワになって見映えも悪くなる。更にパック袋が破れると使用できなくなる。したがって、パック袋のままの使用は極めて不便といえる。
【０００５】
そこで、壁掛け式ホルダーを装備していない場所でも、タオルペーパーを勝手よく使え、しかもそうするに当って、費用もさほどかからないことが望まれるようになった。
【０００６】
【特許文献１】実開平４−１００４８０
【特許文献２】実公平７−２００６１
【特許文献３】実公平６−４７８３０
【特許文献４】実公平６−４７８３１
【特許文献５】実公平７−３８２０２
【考案の開示】
【考案が解決しようとする課題】
【０００７】
本考案は上記事情に鑑み、タオルペーパーを使い勝手よく取出せ、しかも安価な収容ボックスを提供することを目的とする。
【課題を解決するための手段】
【０００８】
第１考案のタオルペーパーボックスは、薄ボードを立方体状に組立てたボックスを備えており、該ボックスの内部はタオルペーパーパック品の収納空間であり、該ボックスの上面には、タオルペーパーを１枚づつ取り出す取出し口が形成されており、前記ボックスの一端には、端面を開閉する蓋部材が設けられていることを特徴とする。
第２考案のタオルペーパーボックスは、第１考案において、前記ボックスの内部に、収納されたタオルペーパーパック品を前記取出し口側へ押し上げる押上げ部材が挿入されていることを特徴とする。
第３考案のタオルペーパーボックスは、第１考案において、前記取出し口は、ボックスの上面において、長手方向と短手方向に延びた十字状の開口であることを特徴とする。
第４考案のタオルペーパーボックスは、第１考案において、前記ボックスは、１枚の薄ボードを六面体に折り畳んで形成したものである。
第５考案のタオルペーパーボックスは、第１考案において、前記押上げ部材は、１枚の長方形の薄ボードを、長手方向に二分して足部と台部に分け、かつ前記台部と足部との間に連結された湾曲部を切り抜いて形成したものである。
【考案の効果】
【０００９】
第１考案によれば、薄ボード製のボックスが多少の重量を持つので、収容されたタオルペーパーを１枚づつ取り出すとき、ボックス自体が付いて動くことがなく、またボックスが形状を保持するだけの剛性を有しているので、収容されたタオルペーパーが形崩れせず、最後の１枚まで、簡単に取り出すことができる。
第２考案によれば、ボックスの内部に押上げ部材を入れているので、収容されたタオルペーパーの枚数が少なくなっても、上層部のタオルペーパーは必ず取出し口の近くに位置する。よって、１枚づつの取り出しが確実に行える。
第３考案によれば、短手方向の開口によって、パック袋を破って最初の１枚を取り出し易くでき、長手方向の開口によって、タオルペーパーの１枚づつの取り出しが容易にできるようになる。
第４考案によれば、ボックスを１枚の薄ボードを折り畳むことにより形成できるので、製作コストを安くできる。
第５考案によれば、押上げ部材を１枚の薄ボードを二分したり切り抜いて形成できるので、製作コストを安くできる。
【考案を実施するための最良の形態】
【００１０】
つぎに、本考案の実施形態を図面に基づき説明する。
（全体構成）
本考案のタオルペーパーボックスは、ボックス１と押上げ部材２とから構成されている。このタオルペーパーボックスに収納されるタオルペーパーはパック品３がそのまま収納される。
以下、順にその構造を説明する。
【００１１】
（ボックス）
図２はボックス１の展開図、図３は組立図である。
このボックス１は、１枚の薄ボードＢ１を折り畳んで作成するものである。薄ボードＢ１としては、プラスチックや紙など任意の材料が用いられる。プラスチック材は、0.5ｍｍ〜１ｍｍ程度の厚さであると、充分な剛性と耐水性などを満足できる。紙を用いる場合はフィルムコートして耐水性を持たせたものが好ましい。
【００１２】
図２において、１１は天板、１２および１３は側板、１４は底板である。これらは一続きになっており、細線で示す折畳み線ｆで区切られている。
底板１４の側縁には、折畳み線ｆを介して糊付け片１５がつながっている。
【００１３】
前記天板１１の両端部には、折畳み線ｆを介して雄蓋１６，１６がつながっている。この雄蓋１６，１６の先端には差込片16a，16aが形成されている。
前記底板１４の両端部には、折畳み線ｆを介して雌蓋１７，１７がつながっている。この雌蓋１７，１７の先端には差込孔17a，17aが形成されている。
一方の側板１２の両端部には折畳み線ｆを介して、折込み蓋１８，１８が形成され、他方の側板１３の両端部にも、折畳み線ｆを介して折込み蓋１９，１９が形成されている。
これらの雄蓋１６、雌蓋１７、折込み蓋１８，１９は、特許請求の範囲にいう蓋部材を構成している。
【００１４】
上記のボードＢ１は、形状は１回の打抜きで加工でき、折畳み線ｆも１回のプレス加工で加工できるので、安価に製作することができる。
【００１５】
組立て方は、つぎのとおりであり、非常に簡便である。
全ての折畳み線ｆを山折りにして、糊付け片１５を接着剤にて側板１２の側縁に接着する。また、折込み蓋１８，１９を内側に折り畳んだ上に、雌蓋１７を折り畳み、さらに雄蓋１６を折り畳む。そのうえで、差込孔17aに差込片16aを差し込むと、蓋が自然に開くことはない。
組立てられた状態が図３である。ただし、人為的に開くことは容易で、差込片16aを差込孔17aから抜くだけで、蓋部材（雄蓋１６、雌蓋１７折込み蓋１８，１９）を開くことができる。
また、組立てられた大きさは、タオルペーパーパック品３が一袋そっくり入る大きさである。
【００１６】
図３に示すように、ボックス１の上面、つまり天板１１には、取出し口２０が設けられている。この取出し口２０は、長手方向に延びた開口２１と短手方向に延びた開口２２が交差して十字状になっている。
長手方向の開口２１は、ボックス１の長手方向寸法よりやや短いだけの長尺であり、このため、内部に収納されるタオルペーパーを取り出すときの抵抗が小さく、１枚ずつの取り出しが可能となっている。
また、短手方向の開口２２は、ボックス１の短手方向寸法（幅寸法）まで延びており、側板１２，１３の上縁を少し切り込むように形成されている。このため、ボックス１内にパック袋ごと挿入した後、パック袋のミシン目を破る作業が容易に行える。
【００１７】
（押上げ部材）
図４は押上げ部材の展開図であり、図５は押上げ部材の組立図である。
この押上げ部材２は、１枚の長方形の薄ボードＢ２から作成される。薄ボードＢ２の材料は、前記薄ボードＢ１と同様の部材が用いられる。
【００１８】
薄ボードＢ２は概ね長方形であり、太線は全て外形線と打抜き線を示し、細線は折畳み線ｆ１〜ｆ６を示している。この押上げ部材２の外形線と打抜き線は、１回の打抜きで加工でき、折畳み線ｆ１〜ｆ６は１回のプレス加工で加工できるので、安価に製作することができる。
【００１９】
図４において、外形線以外の打抜き線としては、長手方向の中央において、薄ボードＢ２を左右に二分する打抜き線３１があり、台部４１と足部４２に分けられている。
また、薄ボードＢ２の中央部には、２本の打抜き線３２，３３が長手方向に平行に形成されている。この打抜き線３２，３３のそれぞれの両端間には２本の折畳み線ｆ１，ｆ２が形成されている。この打抜き線３２，３３と折畳み線ｆ１，ｆ２で囲まれた部分は連結片４３となる部材である。
【００２０】
右側の台部４１の端部には、２本の打抜き線３４，３５が長手方向に平行に形成されている。この打抜き線３４，３５のそれぞれの基端間には、１本の折畳み線ｆ３が形成されている。
この打抜き線３４，３５と折畳み線ｆ３とで囲まれた部分は、連結片４５となっている。なお、この連結片４５の先端には、糊付け部45aが付設されている。
左側の足部４２の端部には、２本の打抜き線３６，３７が長手方向に平行に形成されている。この打抜き線３６，３７のそれぞれの基端間には、１本の折畳み線ｆ４が形成されている。
この打抜き線３６，３７と折畳み線ｆ４とで囲まれた部分は、連結片４６となっている。
台部４１と足部４２とも、長辺の少し内側には、谷折り線ｆ５，ｆ６が形成されている。この谷折り線ｆ５，ｆ６の外側は、高さの低いガイド壁４７,４８となっている。
【００２１】
図５は押上げ部材２の組立て状態を示している。打抜き線３１〜３７を全て切り離せば、台部４１と足部４２を分離でき、かつ連結片４３と連結片４５，４６も分離できる。連結片４５と連結片４６を糊付け部45aで互いに接着する。そのうえで、連結片４３と連結片４５，４６間に輪ゴム４９等の弾力性部材を巻き掛けると、足部４２に対して台部４１を上方に伸び上る方向に付勢することができる。
なお、輪ゴム４９が掛け外れないように、任意の個所に引掛け用切欠きを設ける等は任意である。
【００２２】
（組立て方法）
図６はボックス１と押上げ部材２の組立て方法を示している。
ボックス１は箱状に組立てたあと、一端部の蓋部材を開いておき、押上げ部材２も組立てた状態にして、ボックス１の内部に挿入する。
このボックス１と押上げ部材２は使い捨てでもよいが、製作費用と効果の面からは、繰返し使用する方が好ましい。
つぎに図７に示すように、タオルペーパーパック品３をボックス１内において押上げ部材２の上方空間に挿入する。そのうえで、開いていた蓋部材を閉じる。閉じる際、雄蓋１６の差込片16aを雌蓋１７の差込孔17aに差し込めは、蓋部材が勝手に開くことはない。
【００２３】
タオルペーパーパック品３は、二つ折りしたタオルペーパーＰを互い違いに噛み合せたジグザグ折り集積体で、上から１枚づつ取り出すと、つぎの１枚も摩擦で引き上げられるようになっている。このジグザグ折り集積は、既にティッシュペーパー等で公知となっている技術である。
このタオルペーパーＰは100枚から200枚程度が一まとまりになって、薄いフィルム製のパック袋４に入れられている。このパック袋４には、上面において幅方向の中心で長手方向に延びるミシン目５が入れられている。
このミシン目５を破ると、パック袋４内のタオルペーパーＰを自在に取り出すことができるようになっている。
【００２４】
（使用方法）
図８はボックス１にタオルペーパーパック品３を入れて、一端部の蓋部材も閉じた状態である。この状態でタオルペーパーボックスを使用することができる。
使用に際しては、まずパック袋４のミシン目を開いておかなければならないが、このとき短手方向の開口２２が役に立つ。すなわち、開口２２はボックス１の幅一杯に延び、かつ側板１２，１３の上縁を少し凹ませる程度に形成されているので、人の指を開口２２から突込んで、ミシン目５を幅一杯に広げることができるので、ミシン目５を長手方向の長さ全長にわたって破ることができるからである。このため、タオルペーパーＰの取出しに邪魔しないようにすることができる。
【００２５】
図１は本考案のタオルペーパーボックスの使用中の状態を示している。
図（Ａ）はタオルペーパーＰの使用し始めの状態で、ペーパーは大量に残っている。この状態で、押上げ部材２は薄く折り畳まれている。しかし、押上げ部材２の上方付勢力は充分であるので、ペーパーＰを取り出すにつれて、残りのペーパーＰを上方に押し上げていく。そしてペーパーＰは、ボックス１の長手方向の開口２１から取り出される。この開口２１はボックス１の長手方向寸法とほぼ同じ位長いので、ペーパーＰの取り出しに邪魔になることはない。よって、１枚づつの取出しが可能となっている。
ペーパーＰの残量が少なくなってくると、図（Ｂ）に示すように、押上げ部材２の連結片４３，４５，４６が輪ゴム４９の弾力によって、上方に伸びて台部４１を押し上げる。
このため、ペーパーＰの枚数が少なくなっても、常にボックス１内の上方に位置するので、最後の１枚まで、ペーパーＰを１枚づつ取り出すことが可能である。
【産業上の利用可能性】
【００２６】
上記のタオルペーパーボックスを用いると、壁掛け式のホルダーを用いることが不適な工場や野外においても、身近なところにタオルペーパーボックスを置いておくことによって、便利にタオルペーパーを使用することができる。
【図面の簡単な説明】
【００２７】
【図１】本考案の一実施形態に係るタオルペーパーボックスの使用状態説明図である。
【図２】ボックス１の展開図である。
【図３】ボックス１の組立図である。
【図４】押上げ部材２の展開図である。
【図５】押上げ部材２の組立図である。
【図６】ボックスと押上げ部材の結合要領図である。
【図７】タオルペーパーボックスへタオルペーパーパック品を挿入する説明図である。
【図８】ボックス１にタオルペーパーパック品３を入れた使用可能状態の斜視図である、
【符号の説明】
【００２８】
１        ボックス
２        押上げ部材
３        タオルペーパーパック品
２０      取出し口
２１      長手方向の開口
２２      短手方向の開口
４１      台部
４２      足部
４３      連結片
４５      連結片
４６      連結片
Ｂ１      薄ボード
Ｂ２      薄ボード
【図１】
0003115896.tif 000003
【図２】
0003115896.tif 000004
【図３】
0003115896.tif 000005
【図４】
0003115896.tif 000006
【図５】
0003115896.tif 000007
【図６】
0003115896.tif 000008
【図７】
0003115896.tif 000009
【図８】
0003115896.tif 000010